(57)【要約】【課題】表示装置の冷却性能を向上させることができ、特に屋外用として好適な表示装置を提供する。【解決手段】表示部と、表示部に沿って流れる空気流を発生させる送風部と、表示部を通過した空気を放熱するための流路部を備え、流路部は、表示部側方から下方に延びており、その一部が地中に埋設されることを特徴とする。【選択図】図３
2012159636.tif 000002
【特許請求の範囲】
【請求項１】
表示部と、
表示部に沿って流れる空気流を発生させる送風部と、
表示部を通過した空気を放熱するための流路部を備え、
流路部は、表示部側方から下方に延びており、その一部が地中に埋設されることを特徴とする表示装置。
【請求項２】
少なくとも表示部を収納する筐体を備え、
流路部は、該筐体によって日陰となる位置の地中部にその一部が埋設されることを特徴とする請求項１記載の表示装置。
【請求項３】
流路部は、第１流路部と第２流路部を含み、
時刻又は太陽の方向に応じて、表示部を通過した空気を第１流路部に流通させるか第２流路部に流通させるかを切り替える手段を更に備えることを特徴とする請求項２記載の表示装置。
【発明の詳細な説明】
【技術分野】
【０００１】
本発明は、表示装置、特に屋外配置用の表示装置に関する。
【背景技術】
【０００２】
近年、平面ディスプレイ等によって映像や情報を表示する広告媒体（デジタルサイネージ）が登場している。（例えば、特許文献１）。
【０００３】
このような広告媒体を、屋外で使用する場合、特に太陽光の照射による熱で液晶パネルが誤動作する恐れがあるので、パネルを冷却する手段を設けることが必要である。
【０００４】
例えば特許文献２では、空気流を発生する為のファンを設け、この空気流によって液晶パネルを冷却している。
【先行技術文献】
【特許文献】
【０００５】
【特許文献１】特開２００９−２９４２８４号公報
【特許文献２】米国特許公開公報２００９／０１４７１７０
【発明の概要】
【発明が解決しようとする課題】
【０００６】
ところで、空気の熱伝導率は約０．０２６[W/m.K]であるのに対し、土の熱伝導率は０．６２と大きい。このことに着目し、出願人は冷却性能を更に向上させることができる表示装置を創作した。
【課題を解決するための手段】
【０００７】
本発明に係る表示装置は、表示部と、表示部に沿って流れる空気流を発生させる送風部と、表示部を通過した空気を放熱するための流路部を備え、流路部は、表示部側方から下方に延びており、その一部が地中に埋設されることを特徴とする。
【発明の効果】
【０００８】
本発明に係る表示装置によれば、冷却性能を向上させることができる。
【図面の簡単な説明】
【０００９】
【図１】表示装置１の外観図である。
【図２】表示装置１の冷却構造を上方から示した図である。
【図３】表示装置１の冷却構造を正面から示した図である。
【図４】表示装置１の冷却構造を左方から示した図である。
【図５】表示装置１００の冷却構造を正面から示した図である。
【図６】表示装置１００の冷却構造を左方から示した図である。
【図７】表示装置２００の冷却構造を左方から示した図である。
【発明を実施するための形態】
【００１０】
本発明の実施形態について、図を参照して以下に説明する。
【００１１】
（第１の実施形態）
図１は、第１実施形態に係る表示装置１の外観図である。同図に示すように、表示装置１は、フロントキャビネットＦＣとバックキャビネットＢＣで構成される筐体に液晶パネル等からなる表示部２が収容されている。また、筐体の右側面には、吸気用ダクト１１が、左側面には排気用ダクト１２が取付けられている。
【００１２】
図２は、表示装置１の冷却構造を説明する図であり、表示装置１を上から見たときの図である。また、図３もまた、表示装置１の冷却構造を説明する図であり、表示装置１を正面から見たときの図である。
【００１３】
筺体の内部には、表示パネル４４、バックライト４５等からなる表示部２が設けられている。更にその背部には、この表示部２に電源を供給するための電源部６０ａや、表示部２の動作等を制御する制御回路６０ｂなどが配備される。
【００１４】
表示パネル４４の前面側には、表示パネル４４を保護するための透明な前面ガラス１３が設けられている。また、前面ガラス１３の前面には、透明シート状のタッチパネル４６が設けられている。このタッチパネル４６は人の指などの接近による静電容量変化を検知するタイプのものである。
【００１５】
表示パネル４４に表示される画像は、前面ガラス１３およびタッチパネル４６を介して視認することができる。
【００１６】
また、表示パネル４４の前面と前面ガラス１３の間には、空気を流すための空間ＳＰが設けられている。空間ＳＰの右方には吸気口１４が、左方には排気口１５が設けられている。また、吸気口１４の右方には吸気用流路部１１が、排気口１５の左方には排気用流路部１２が設けられている。吸気口１４の位置には吸気用ファン４９ａが、排気口１５の位置には排気用ファン４９ｂが設けられている。
【００１７】
なお、図３を参照して、吸気口１４、排気口１５、吸気用ファン４９ａ、及び排気用ファン４９ｂはそれぞれ、上下方向に並ぶように３箇所に設けられている。即ち、吸気口１４は１４ａ、１４ｂ、１４ｃを含み、排気口１５は１５ａ、１５ｂ、１５ｃを含み、吸気用ファン４９ａは４９ａ１、４９ａ２、４９ａ３を含み、排気用ファン４９ｂは４９ｂ１、４９ｂ２、４９ｂ３を含む。なお図示していないが、吸気口１４や排気口１５の各々には、表示装置４の内部に雨・埃等が入らないようにするためのフィルタが設けられていても良い。
【００１８】
パネル用冷却ファン４９が回転することにより、流路ＳＰにおいて、吸気口１４から排気口１５へ向かう方向、すなわち図２や図３の矢印で示す方向の送風が行われる。これにより、表示パネル４４と前面ガラス１３との間を含む空間ＳＰに、吸気口１４から排気口１５へ流れる空気流が発生する。この空気流により液晶パネル４４を冷却される。
【００１９】
図３を参照して、吸気用流路部１１は、３つの吸気口１４を外側から覆うように、上下方向に伸びた形状となっている。同様に排気用流路部１２も、３つの排気口１５を外側から覆うように、上下方向に伸びた形状となっている。
【００２０】
また吸気用流路部１１、排気用流路部１２の下部は地中に埋設されている（図４も参照）。また、吸気用流路部１１、排気用流路部１２は地中において連通流路部１３により連通される。これにより、液晶パネル４４で発生した熱は、排気用ファン４９ａにより排気用流路部１２を通って地中へ導かれ、地中で冷却される。また、吸気用流路部１１と排気用流路部１２が連通流路部１３で連通されることにより空気の循環路が形成される。
【００２１】
一例として液晶パネル４４から放熱される熱の温度が５０度であるとし、地中の温度が１５度であるとすれば、排気用流路部１２を通って地中に導かれた空気は効率的に冷却されると考えられる。そして、この冷却された空気が、吸気用流路部１１を経て液晶パネル４４へ再び到達するので、これにより液晶パネルが効率的に冷却できる。
【００２２】
（第２の実施形態）
図５、６は、第２実施形態に係る表示装置１００の外観図である。屋外に表示装置を配置する場合、表示装置本体により日陰となる部分が当然に発生する。そこで、表示パネル４４で発生した熱は、地中でも特に日陰となる部分に放熱させるが好ましい。このことに鑑み、図５、図６を参照して表示装置１００は、吸気用流路部１１、排気用流路部１２を流通する連通流路部１３０が、前方に屈曲している。即ち、連通流路部１３０が、表示装置１００の筐体により日陰となる部分の地中に埋設されるように構成されている。このような構成により、より効率的な冷却が可能である。
【００２３】
（第３の実施形態）
図７は、第３実施形態に係る表示装置２００を左方から見た図である。太陽の方向は時刻によって変化する。また、表示装置２００の所有者の希望等により、表示装置２００の設置方向も様々であると考えられる。そこで、表示装置２００では、吸気用流路部１１、排気用流路部１２を連通させる連通流路部が第１流路部１４１、第２流路部１４２からなっている。そして、排気用流路部１２を通った空気を、第１流路部１４１を経由させて吸気用流路部１１へ流通させるか、第２流路部１４２を経由させて吸気用流路部１１へ流通させるかを切り換え可能とするよう、第１流路部１４１、第２流路部１４２の入り口部部分にはスイッチＳＷ１、ＳＷ２がそれぞれ設けられている。
【００２４】
例えば、図７に示すように、日光が表示面側から照射していて、表示面の裏面側が日陰となっている場合、排気用流路部１２を通った空気は、日陰側である第１流路部１４１を通った方が効果的に放熱できるので、ＳＷ１は開放し、ＳＷ２は閉じた状態となる。
【００２５】
一方、時刻によっては、図７とは逆に日光が表示面の裏側から照射していて、表示面側が日陰になる場合もありうる。（例えば、朝は日光が表示面側から照射し、夕方は日光が表示面の裏側から照射するようなことが考えられる）。この場合は、ＳＷ１を閉じ、ＳＷ２を開放すると良い。
【００２６】
なお、ＳＷ１、ＳＷ２に代えて、移動壁の様式としても良い。移動壁が一方に移動した場合、排気用流路部１２を通った空気は第１流路部１４１のみに流れ、移動壁が他方に移動した場合、排気用流路部１２を通った空気は第２流路部１４２のみに流れる。
【００２７】
以上、本発明の実施形態について説明したが、本発明はこの内容に限定されるものではない。また本発明の実施形態は、本発明の主旨を逸脱しない限り、種々の改変を加えることが可能である。なお表示装置４の表示部の例として液晶表示パネルを例に説明したが、これに代えて、プラズマパネル、有機ＥＬ、電子ペーパー、ＣＲＴ、或いは広告フィルムなどでも良い。
【００２８】
また、液晶パネルで発生した熱を放熱するためにダクト状の排気用流路部を設ける代わりに、金属等の熱伝導率の高い部材を用いて地下へ熱を伝達させることで放熱を行う構成としても良い。
【図１】
2012159636.tif 000003
【図２】
2012159636.tif 000004
【図３】
2012159636.tif 000005
【図４】
2012159636.tif 000006
【図５】
2012159636.tif 000007
【図６】
2012159636.tif 000008
【図７】
2012159636.tif 000009